(57)【特許請求の範囲】
【請求項１】
多数の押しピンと、これら押しピンを収容しうるホルダーとを備えており、
各押しピンが、平板からなり、表側面、裏側面及び下端面を備えるヘッドと、このヘッドの下端面から延在する針とを備えており、
このホルダーが、上記押しピンが載置される底を備えており、
この底が、湾曲しており、
上記押しピンが平面に置かれた場合に、上記表側面又は上記裏側面がこの平面と接し、上記針がこの平面に沿うように、この押しピンが構成されており、
上記多数の押しピンのヘッドに文字又は色を付することにより、それぞれの押しピンが識別可能とされているマーキングセット。
【請求項２】
上記底が、下向きに窪んだ形状を呈しており、
上記ヘッドが、その幅方向外側に位置する縁において、この底に当接しうる請求項１に記載のマーキングセット。
【発明の詳細な説明】
【技術分野】
【０００１】
本発明は、マーキングセットに関する。
【背景技術】
【０００２】
掲示板に書類を貼り付けるとき、押しピン（画鋲とも称される）が用いられる。図６（ａ）には、従来の押しピン２が示されている。この押しピン２は、フランジ４と針部６とからなる。フランジ４と針部６とは、通常は金属材料からなる。フランジ４と針部６とは、一体とされている。
【０００３】
この押しピン２が机等の平面の上に置かれると、フランジ４の上面が平面に接する姿勢となりやすい。この場合、針部６は上向きに起立する。この状態で誤ってヒトが平面に手を置くと、針部６が手に刺さってしまう。幼児のいる幼稚園や老人の多い施設での使用には、この押しピン２は適していない。
【０００４】
図６（ｂ）に示されているのも、従来の押しピン８である。この押しピン８は、玉部１０と針部１２とからなる。玉部１０は合成樹脂からなり、針部１２は金属材料からなる。針部１２の一端は、玉部１０に差し込まれている。針部１２は、玉部１０に固定されている。
【０００５】
この押しピン８が平面に置かれても、針部１２が上向きに起立した姿勢にはなりにくい。しかし、ヒトが平面に手を置くと、この手から加えられた力によって玉部１０が回転し、針部１２が上向きになるおそれがある。針部１２が上を向くと、針部１２が手に刺さってしまう。
【０００６】
幼児のいる幼稚園や老人の多い施設での使用が考慮され、誤って手に刺さることが生じにくい押しピンに関する検討がなされている。この検討の一例が、特開２００７−９０７００公報に開示されている。
【先行技術文献】
【特許文献】
【０００７】
【特許文献１】特開２００７−９０７００公報
【発明の概要】
【発明が解決しようとする課題】
【０００８】
例えば、動物の生態に関する調査において、動物を確認した場所を、図６（ｂ）の押しピン８を用いて地図上にマーキングすることがある。この場合、多数の押しピン８が用いられる。通常、これら押しピン８は箱形のケースに収容される。図示されているように、この押しピン８には嵩高い玉部１０が存在する。このため、それぞれの針部１２の向きを揃えて、これら押しピン８をケースに収容するのは難しい。一部の押しピン８においては、その針部１２の先端がケースの外側を向いてしまう。このため、ケースから押しピン８を取り出すためにこの押しピン２に手を近づけると、この手に針部１２が刺さることがある。図６（ａ）の押しピン２においても、同様の問題がある。
【０００９】
上記調査において、押しピン８の玉部１０に色又は文字を付することがある。このような押しピン８は、例えば、調査の対象としての個体の種類及びこの個体の数の把握に寄与しうる。しかし、この押しピン８では、それぞれの玉部１０の向きを揃えて、多数の押しピン８をケースに収容するのは難しい。このため、ケースに収容された押しピン８の玉部１０に付されている文字を把握するのは容易ではない。しかも、特定の押しピン８を取り出すために、ケース内を探ると、針部１２が手に刺さることがある。図６（ａ）の押しピン２においても、同様の問題がある。
【００１０】
本発明の目的は、押しピンの取り出しが容易にかつ安全になされうるマーキングセットの提供にある。
【課題を解決するための手段】
【００１１】
本発明に係るマーキングセットは、多数の押しピンと、これら押しピンを収容しうるホルダーとを備えている。各押しピンは、ヘッドと、このヘッドから延在する針とを備えている。このホルダーは、上記押しピンが載置される底を備えている。この底は、湾曲している。
【００１２】
好ましくは、このマーキングセットでは、上記底は下向きに窪んだ形状を呈している。上記ヘッドは、その幅方向外側に位置する縁において、この底に当接しうる。
【００１３】
好ましくは、このマーキングセットでは、上記多数の押しピンのヘッドに文字又は色を付することにより、それぞれの押しピンが識別可能とされている。
【発明の効果】
【００１４】
本発明に係るマーキングセットによれば、押しピンが容易にかつ安全にホルダーから取り出されうる。
【図面の簡単な説明】
【００１５】
【図１】図１は、本発明のマーキングセットが示された斜視図である。
【図２】図２（ａ）は図１に示された押しピンの正面図であり、図２（ｂ）はその左側面図である。
【図３】図３は、図１のIII−III線に沿った断面図である。
【図４】図４は、図１のマーキングセットの使用状態が示された斜視図である。
【図５】図５（ａ）は図４に示された他の押しピンの正面図であり、図（ｂ）はその左側面図である。
【図６】図６（ａ）は従来の押しピンが示された斜視図であり、図６（ｂ）は従来の他の押しピンが示された斜視図である。
【発明を実施するための形態】
【００１６】
以下、適宜図面が参照されつつ、好ましい実施形態に基づいて本発明が詳細に説明される。
【００１７】
図１に示されたマーキングセット１４は、多数の押しピン１６と多数のホルダー１８とを備えている。このマーキングセット１４には、ホルダー１８が１０個設けられている。図示されていないが、それぞれのホルダー１８には、押しピン１６が１０枚収容されている。ホルダー１８の個数及び各ホルダー１８に収容される押しピン１６の枚数は、マーキングセット１４の仕様が考慮され適宜決められる。
【００１８】
図２に示されているのは、押しピン１６である。押しピン１６は、ヘッド２０及び針２２を備えている。図２中、両矢印Ｗはヘッド２０の幅を表している。両矢印Ｔは、このヘッド２０の厚みを表している。この例では、ヘッド２０の厚みＴは針２２の厚みと同等である。図示されているように、ヘッド２０の厚みＴはヘッド２０の幅Ｗよりも十分に小さい。換言すれば、このヘッド２０は平板からなる。
【００１９】
この押しピン１６では、ヘッド２０は略半円状を呈している。このヘッド２０が、矩形状を呈していてもよいし、円形状を呈していてもよい。
【００２０】
ヘッド２０は、硬質材料からなる。好ましくは、ヘッド２０は金属材料からなる。典型的な金属材料は、鋼である。
【００２１】
ヘッド２０は、表側面２４、裏側面２６、上側面２８及び下端面３０を備えている。表側面２４は、平面である。図示されているように、表側面２４には、文字としての数字の「１」が付されている。この表側面２４に、色が付されてもよい。この表側面２４に文字及び色が付されてもよい。この押しピン１６では、ヘッド２０の裏側面２６は平面である。この裏側面２６に、文字又は色が付されてもよい。この表側面２４及び裏側面２６のそれぞれに、文字が付されてもよいし、色が付されてもよいし、文字及び色が付されてもよい。図示されているように、下端面３０はヘッド２０の幅方向（水平方向）に延在している。
【００２２】
針２２は、ヘッド２０の下端面３０から下向きに延在している。この押しピン１６では、針２２の延在方向はヘッド２０の厚み方向に対して垂直である。この針２２の延在方向は、ヘッド２０の幅方向に対しても垂直である。この押しピン１６は、他の押しピン１６に近接する位置を突き通すことができるので、調査のマーカーとして適している。
【００２３】
この押しピン１６では、針２２の断面形状は矩形である。この針２２の断面形状が円とされてもよい。この針２２の下端は、先細りな形状を呈している。
【００２４】
針２２は、硬質材料からなる。好ましくは、針２２は金属材料からなる。典型的な金属材料は、鋼である。この押しピン１６では、針２２はヘッド２０と一体的に形成されている。針２２がヘッド２０とは別に形成され、ヘッド２０に接合されてもよい。
【００２５】
この押しピン１６が平面に置かれると、ヘッド２０が板状なので、表側面２４又は裏側面２６が平面と接する。この状態では、針２２も平面に沿う。この押しピン１６では、針２２が起立した姿勢が生じにくい。ヒトが平面に手を置いても、針２２は起立しにくい。この押しピン１６では、ヒトが誤って針２２を手に刺すことがない。また、この押しピン１６が床にあるときでも、ヒトが誤って針２２を足に刺すことがない。この押しピン１６は、安全である。
【００２６】
針２２が起立しにくいとの観点から、幅Ｗに対する厚みＴの比率は３０％以下が好ましく、１５％以下がより好ましい。ヘッド２０の強度の観点から、比率は２％以上が好ましい。厚みＴは、通常は０．１ｍｍ以上５．０ｍｍ以下である。
【００２７】
図３には、図１のIII−III線に沿った断面が示されている。この図３には、押しピン１６がホルダー１８に収容されている状態が示されている。前述したように、一つのホルダー１８には、押しピン１６が１０枚収容されている。
【００２８】
ホルダー１８は、下向きに延在する凹み３２を備えている。このマーキングセット１４では、この凹み３２に押しピン１６が投入される。図示されているように、この凹み３２の底３４は下向きに窪んだ形状を呈している。この凹み３２の底３４は湾曲している。
【００２９】
このマーキングセット１４では、ホルダー１８の凹み３２に最初に投入された第一押しピン１６ａは、この凹み３２の底３４に載置される。前述したように、押しピン１６のヘッド２０は平板からなる。押しピン１６の針２２は、平板の厚み方向に対して垂直な方向に延在している。この針２２は、平板の厚みと同等の厚みを有している。このため、第一押しピン１６ａに続いてこの凹み３２に投入された第二押しピン１６ｂは、この第一押しピン１６ａに載置される。この第二押しピン１６ｂに続いてこの凹み３２に投入された第三押しピン１６ｃは、この第二押しピン１６ｂに載置される。このマーキングセット１４では、複数の押しピン１６が順に積層されてホルダー１８に収容されている。
【００３０】
図示されていないが、このマーキングセット１４のホルダー１８ａの底３４には、「１０」が付された押しピン１６ａが載置されている。この押しピン１６ａの上には、「９」が付された押しピン１６ｂが位置している。この押しピン１６ｂの上には、「８」が付された押しピン１６ｃが位置している。この押しピン１６ｃの上には、「７」が付された押しピン１６ｄが位置している。この押しピン１６ｄの上には、「６」が付された押しピン１６ｅが位置している。この押しピン１６ｅの上には、「５」が付された押しピン１６ｆが位置している。この押しピン１６ｆの上には、「４」が付された押しピン１６ｇが位置している。この押しピン１６ｇの上には、「３」が付された押しピン１６ｈが位置している。この押しピン１６ｈの上には、「２」が付された押しピン１６ｉが位置している。この押しピン１６ｉの上には、「１」が付された押しピン１６ｊが位置している。このホルダー１８ａには、１から１０までの数字が順に付された、１０枚の押しピン１６が収容されている。
【００３１】
このマーキングセット１４のホルダー１８ｂには、１１から２０までの数字が順に付された、１０枚の押しピン１６が収容されている。ホルダー１８ｃには、２１から３０までの数字が順に付された、１０枚の押しピン１６が収容されている。ホルダー１８ｄには、３１から４０までの数字が順に付された、１０枚の押しピン１６が収容されている。ホルダー１８ｅには、４１から５０までの数字が順に付された、１０枚の押しピン１６が収容されている。ホルダー１８ｆには、５１から６０までの数字が順に付された、１０枚の押しピン１６が収容されている。ホルダー１８ｇには、６１から７０までの数字が順に付された、１０枚の押しピン１６が収容されている。ホルダー１８ｈには、７１から８０までの数字が順に付された、１０枚の押しピン１６が収容されている。ホルダー１８ｉには、８１から９０までの数字が順に付された、１０枚の押しピン１６が収容されている。ホルダー１８ｊには、９１から１００までの数字が順に付された、１０枚の押しピン１６が収容されている。
【００３２】
このマーキングセット１４では、例えば、ホルダー１８ａにおいて、「１」が付された押しピン１６を取り出すと、「２」が付された押しピン１６が露出する。このマーキングセット１４では、この「２」が付された押しピン１６を見つけ出すのは容易である。換言すれば、このマーキングセット１４では、特定の文字が付された押しピン１６を容易に探し出すことができる。
【００３３】
このマーキングセット１４では、複数の押しピン１６のそれぞれが嵩高いヘッド２０を有しているにもかかわらず、これらがコンパクトにホルダー１８に収容されうる。この押しピン１６の形状は、ホルダー１８のサイズのコンパクト化に寄与しうる。
【００３４】
このマーキングセット１４では、複数の押しピン１６が、それぞれの針２２の向きを水平方向に揃えてホルダー１８に収容されうる。このため、その上側から押しピン１６に手を近づけても、針２２が手に刺さることはない。このマーキングセット１４によれば、安全に押しピン１６を取り出すことができる。
【００３５】
図３に示されているように、ホルダー１８に収容された押しピン１６のうち、最下部に位置する押しピン１６ａのヘッド２０が、凹み３２の底３４に当接している。より詳細には、このヘッド２０は、その裏側面２６の幅方向外側に位置する縁３６において、この底３４に当接している。
【００３６】
前述したように、このマーキングセット１４では、ホルダー１８の凹み３２の底３４は湾曲している。このため、最上部に位置する押しピン１６の、幅方向における一方の外側の部分を指（例えば、人差し指Ｆ）で下向きに押圧すると、最下部に位置する押しピン１６の、幅方向における一方の当接部分が底３４に沿って下向きにスライドする。これにより、他方の当接部分が底３４に沿って上向きにスライドする。最上部に位置する押しピン１６の、幅方向における他方の外側の部分が上昇するので、利用者はこの外側の部分に指（例えば、親指）をかけやすい。このマーキングセット１４によれば、利用者は押しピン１６を容易に摘むことができる。このマーキングセット１４では、利用者は押しピン１６をホルダー１８から容易に取り出すことができる。
【００３７】
このマーキングセット１４では、多数の押しピン１６を整理してホルダー１８に収容できる。しかも、ホルダー１８から押しピン１６を容易に取り出しうる上に、この取り出しに際し針２２が指に刺さることが効果的に防止されている。このマーキングセット１４によれば、押しピン１６が容易にかつ安全にホルダー１８から取り出されうる。このため、このマーキングセット１４は、単に掲示板に書類を貼り付ける場合だけでなく、例えば、動植物の分布状態を地図に表す場合、遺跡の発掘調査において発掘された物品の発掘箇所を図面に表す場合、管理すべき貴重品の存在位置を図面に表す場合等にも有効に利用されうる。この観点から、このマーキングセット１４に設けられる多数の押しピン１６のヘッド２０に文字又は色を付すことにより、それぞれの押しピン１６が識別可能とされているのが好ましい。これら押しピン１６のヘッドに文字及び色を付することにより、それぞれの押しピン１６が識別可能とされているのがより好ましい。
【００３８】
図４に示されているのは、このマーキングセット１４の使用例である。この図４では、図１のマーキングセット１４が貴重品の管理に用いられている。図示されているように、図面３８がボード４０に貼り付けられている。この図面３８には、家の２階の間取りの一例が表されている。この家の２階には、部屋４２ａ、部屋４２ｂ、部屋４２ｃ及び納戸４４が設けられている。部屋４２ａには、押し入れ４６が配置されている。部屋４２ｂには、西洋ダンス４８と本棚５０とが配置されている。部屋４２ｃには、洋服ダンス５２が配置されている。
【００３９】
この使用例では、「１」が付された押しピン１６ｊ、「２」が付された押しピン１６ｉ、「３」が付された押しピン１６ｈ、「４」が付された押しピン１６ｇ及び「５」が付された押しピン１６ｆが用いられている。この使用例では、これら数字の付された押しピン１６以外に、図面３８をボード４０に貼り付けるために４本の他の押しピン５４が用いられている。
【００４０】
図示されているように、この使用例では、「１」が付された押しピン１６ｊが図面３８に表された部屋４２ａの押し入れ４６の部分を刺している。「２」が付された押しピン１６ｉは、部屋４２ｂの西洋ダンス４８の部分を刺している。「３」が付された押しピン１６ｈは、この部屋４２ｂの本棚５０の部分を刺している。「４」が付された押しピン１６ｇは、部屋４２ｃの洋服ダンス５２の部分を刺している。「５」が付された押しピン１６ｆは、納戸４４の部分を刺している。
【００４１】
このマーキングセット１４は、次のようにして使用される。例えば、居住者が印鑑を部屋４２ａの押し入れ４６に収容した場合、この居住者は、図１のマーキングセット１４のホルダー１８ａから、「１」の付された押しピン１６ｊを取り出し、図示されているようにこの押しピン１６ｊを図面３８における部屋４２ａの押し入れ４６の部分に突き通す。
【００４２】
このマーキングセット１４では、複数の押しピン１６が、それぞれの針２２の向きを水平方向に揃えてホルダー１８に収容されているので、上側から「１」の付された押しピン１６ｊに手を近づけても、針２２が手に刺さることはない。このマーキングセット１４によれば、「１」の付された押しピン１６ｊを安全に取り出すことができる。
【００４３】
このマーキングセット１４では、「１」が付された押しピン１６ｊの、幅方向における一方の外側の部分を人差し指で下向きに押圧すると、その幅方向における他方の外側の部分が上昇するので、利用者はこの外側の部分に親指をかけやすい。このマーキングセット１４によれば、利用者は「１」が付された押しピン１６ｊを容易に摘むことができる。このマーキングセット１４では、利用者はこの押しピン１６ｊをホルダー１８ａから容易にかつ安全に取り出すことができる。
【００４４】
このマーキングセット１４では、複数の押しピン１６が順に積層されてホルダー１８に収容されているので、「１」の付された押しピン１６ｊが取り出されたホルダー１８ａでは、「２」の付された押しピン１６ｉが露出している。このマーキングセット１４では、「２」の付された押しピン１６ｉを容易に探し出すことができる。
【００４５】
このマーキングセット１４を用いた貴重品の管理方法では、居住者は、通帳を部屋４２ｂの西洋ダンス４８に収容すると、ホルダー１８ａから、「２」の付された押しピン１６ｉを取り出し、この押しピン１６ｉを図面３８における部屋４２ｂの西洋ダンス４８の部分に突き通す。居住者は、腕時計を部屋４２ｂの本棚５０に収容すると、ホルダー１８ａから、「３」の付された押しピン１６ｈを取り出し、この押しピン１６ｈを図面３８における部屋４２ｂの本棚５０の部分に突き通す。さらに居住者は、有価証券を部屋４２ｃの洋服ダンス５２に収容すると、ホルダー１８ａから、「４」の付された押しピン１６ｇを取り出し、この押しピン１６ｇを図面３８における部屋４２ｃの洋服ダンス５２の部分に突き通す。そして、居住者は、宝石を納戸４４に収容すると、ホルダー１８ａから、「５」の付された押しピン１６ｆを取り出し、この押しピン１６ｆを図面３８における納戸４４の部分に突き通す。このようにして、居住者は、貴重品を収容するたびに、ホルダー１８から押しピン１６を取り出し、貴重品の収容場所に相当する図面上の位置にこの押しピン１６を突き通す。これにより、居住者は、図面３８を見るだけで、貴重品の存在箇所を容易に把握することができる。
【００４６】
この管理方法では、収容した貴重品が何であるかを容易に理解することができるという観点から、押しピン１６と貴重品との関係を記載した書類が別に作成されているのが好ましい。より詳細には、「１」の付された押しピン１６ｊが印鑑の位置を表し、「２」の付された押しピン１６ｉが通帳の位置を表し、「３」の付された押しピン１６ｈが腕時計の位置を表し、「４」の付された押しピン１６ｇが有価証券の位置を表し、そして「５」の付された押しピン１６ｆが宝石の位置を表すことを記載した書類が別に作成されているのが好ましい。
【００４７】
このマーキングセット１４では、押しピン１６を容易にかつ安全にホルダー１８から取り出すことができる。このマーキングセット１４によれば、動植物の分布状態の調査、遺跡の発掘調査、貴重品の管理等が安全にかつ効率よく実施されうる。多くの個体が調査の対象となりうるとの観点から、このマーキングセット１４が複数準備されるのが好ましい。特に、収容される押しピンのヘッドの色が異なる複数のマーキングセット１４が準備されるのが好ましい。ヘッドが色分けされたマーキングセット１４が１０セット準備された場合、１０００種類の個体が調査の対象となりうる。
【００４８】
図５に示されているのは、図４の他の押しピン５４である。この押しピン５４は、ヘッド５６及び２本の針５８を備えている。ヘッド５６の形状及び材質は、図１に示された押しピン５４のヘッド２０と同等である。
【００４９】
針５８は、ヘッド５６の下端面６０から下方に延びている。一方の針５８ａはヘッド５６の左端に位置しており、他方の針５８ｂはヘッド５６の右端に位置している。針５８の延在方向は、ヘッド５６の厚み方向に対して垂直である。針５８の延在方向は、ヘッド５６の幅方向に対して垂直である。針５８の断面形状は、矩形である。針５８の下端は、先細り形状である。針５８の形状及び材質は、図１に示された押しピン１６の針２２と同等である。この針５８は、ヘッド５６と一体的に形成されうる。
【００５０】
この押しピン５４が平面に置かれると、ヘッド５６が板状なので、表側面６２又は裏側面６４が平面と接する。この状態では、針５８も平面に沿う。この押しピン５４では、針５８が起立した姿勢が生じにくい。ヒトが平面に手を置いても、針５８は起立しにくい。この押しピン５４では、ヒトが誤って針５８を手に刺すことがない。また、この押しピン５４が床にあるときでも、ヒトが誤って針５８を足に刺すことがない。この押しピン５４は、安全である。この押しピン５４では、２本の針５８が図面３８及びボード４０を突き通すので、この押しピン５４が針５８を軸として回転することはない。この押しピン５４は、脱けにくい。このマーキングセット１４では、この押しピン５４が、図２に示された押しピン１６に代えて使用されてもよい。
【産業上の利用可能性】
【００５１】
以上説明されたマーキングセットは、様々な調査及び管理においても適用されうる。
【符号の説明】
【００５２】
２、８、１６、５４・・・押しピン
４・・・フランジ
６・・・針部
１０・・・玉部
１２・・・針部
１４・・・マーキングセット
１８・・・ホルダー
２０、５６・・・ヘッド
２２、５８・・・針
３４・・・底
３６・・・縁
【図１】
0005806824.tif 000002
【図２】
0005806824.tif 000003
【図３】
0005806824.tif 000004
【図４】
0005806824.tif 000005
【図５】
0005806824.tif 000006
【図６】
0005806824.tif 000007